(57)【要約】    【課題】  画像出力結果を正確に予測することができる画像処理装置を提供する。    【解決手段】  プリンタ１０１の特性を入力するプリンタ特性データ入力部１０３と、画像表示装置（モニタ）１１３の特性を入力するモニタ特性データ入力部１０５と、画像出力結果を推定する出力結果推定部１０８と、色域の内外判定を行う色域内外判定部１０９と、出力画像を表示する画像表示部１１２とを具備した。【選択図】      図１
2006246237.tif 000002
【特許請求の範囲】
【請求項１】
画像出力装置の特性を入力する出力特性入力手段と、
画像表示装置の特性を入力する表示特性入力手段と、
画像出力結果を推定する出力推定手段と、
色域の内外判定を行う色域内外判定手段と、
出力画像を表示する画像表示手段と
を具備したことを特徴とする画像処理装置。
【請求項２】
前記画像表示手段は、入力画像に対し、前記出力推定手段にて推定された出力予測色が前記画像表示装置の色再現範囲外の色のみを表示することを特徴とする請求項１に記載の画像処理装置。
【請求項３】
前記画像表示手段は、入力された画像に対し、２種類の画像出力装置の色再現範囲において、一方の画像出力装置の出力予測色であり、他方の画像出力装置の色再現範囲外である色のみを表示することを特徴とする請求項１に記載の画像処理装置。
【請求項４】
前記画像表示手段は、入力された画像に対し、２種類の画像出力装置の色再現範囲において、一方の画像出力装置の出力予測色と、他方の画像出力装置の色再現範囲との色差を表示することを特徴とする請求項１に記載の画像処理装置。
【請求項５】
前記画像出力装置は、プリンタであることを特徴とする請求項１乃至４のいずれかに記載の画像処理装置。
【請求項６】
画像出力装置の特性を入力する出力特性入力工程と、
画像表示装置の特性を入力する表示特性入力工程と、
画像出力結果を推定する出力推定工程と、
色域の内外判定を行う色域内外判定工程と、
出力画像を表示する画像表示工程と
を具備したことを特徴とする画像処理装置の制御方法。
【請求項７】
前記画像表示工程は、入力画像に対し、前記出力推定工程にて推定された出力予測色が前記画像表示装置の色再現範囲外の色のみを表示することを特徴とする請求項６に記載の画像処理装置の制御方法。
【請求項８】
前記画像表示工程は、入力された画像に対し、２種類の画像出力装置の色再現範囲において、一方の画像出力装置の出力予測色であり、他方の画像出力装置の色再現範囲外である色のみを表示することを特徴とする請求項６に記載の画像処理装置の制御方法。
【請求項９】
前記画像表示工程は、入力された画像に対し、２種類の画像出力装置の色再現範囲において、一方の画像出力装置の出力予測色と、他方の画像出力装置の色再現範囲との色差を表示することを特徴とする請求項６に記載の画像処理装置の制御方法。
【請求項１０】
前記画像出力装置は、プリンタであることを特徴とする請求項５乃至９のいずれかに記載の画像処理装置の制御方法。
【請求項１１】
請求項６乃至１０に記載の画像処理装置の制御方法を実現するためのコンピュータ読み取り可能なプログラムコードを保持したことを特徴とする記憶媒体。
【発明の詳細な説明】
【技術分野】
【０００１】
本発明は、画像処理装置及びその制御方法及び記憶媒体に関する。
【背景技術】
【０００２】
従来、デジタルカメラやスキャナ等の画像入力機器により入力されたデジタル画像や、コンピュータ上で作成したＣＧ（Computer Graphics）等の画像をプリンタにより出力する際、モニタに表示された画像の色と、実際に印刷される画像の色とが互いに異なってしまうという問題があった。
【０００３】
これは、モニタで表示可能な色再現範囲（以下,色域と記述する。）と、プリンタ等の画像出力装置で出力可能な色域が異なるということが原因となっている。即ち、モニタで表示されている色がプリンタの色域外であった場合には、印刷される色は、プリンタの色域内の色に置き換えられて出力されてしまうため、モニタに表示される色と、実際に印刷される色とが互いに異なってしまうのである。
【０００４】
上記のような問題に対し、ＲＧＢデータにて表現されている原稿の色データを、ＲＧＢ→ＣＭＹＫ変換シミュレーションによって印刷される色データに変換し、実際に印刷する前に、印刷される色をモニタ上にて確認するための方法が知られている（例えば、特許文献１参照）。
【０００５】
上記方法は、モニタの色域がプリンタの色域に比べて広く、ＲＧＢ→ＣＭＹＫ変換シミュレーションによって予測された予測色を全てモニタに表示可能な場合には有効な手法である。
【特許文献１】特開２００３−３１９１９０号公報
【発明の開示】
【発明が解決しようとする課題】
【０００６】
しかしながら、近年のインクジェットプリンタにおけるインク色材の改良等によってプリンタの色域は拡大しており、必ずしもプリンタの色域は、モニタの色域よりも狭いとは限らない。
【０００７】
例えば、図９に示すように、一般的なモニタの規格であるｓＲＧＢモニタの色域Ａと、特色インクを用いたインクジェットプリンタ（シアン、マゼンタ、イエロー、ブラック、ライトシアン、ライトマゼンタ、レッドの７色を使用）の色域Ｂとを比較した場合、インクジェットプリンタの色域Ｂの方がｓＲＧＢモニタの色域Ａよりも広くなっている領域があり、図９中の斜線部分で示された領域Ｃはモニタで表示できない。この場合、本来、出力画像中では鮮やかに再現される色が、モニタ上では低彩度の色に置き換えられて表示されてしまうため、モニタに表示された画像の色と、実際に印刷される画像の色とが互いに異なるという問題が依然解消されないという問題があった。
【０００８】
更には、図１０に示すように、異なるプリンタ（チューニング前とチュウニング後のプリンタ）で印刷した出力画像を比較する際に、２つのプリンタの再現色（色域）Ｄ，Ｅが共にモニタの色域Ｆの外であった場合、図１０中の斜線部分で示された領域Ｇはプリンタ相互間の差異（チューニング結果）をモニタでは確認できないという問題があった。
【０００９】
本発明は上述したような従来技術の有する問題点を解消するためになされたもので、その目的は、画像出力結果を正確に予測することができる画像処理装置及びその制御方法及び記憶媒体を提供することにある。
【課題を解決するための手段】
【００１０】
上記目的を達成するため、本発明の画像処理装置は、画像出力装置の特性を入力する出力特性入力手段と、画像表示装置の特性を入力する表示特性入力手段と、画像出力結果を推定する出力推定手段と、色域の内外判定を行う色域内外判定手段と、出力画像を表示する画像表示手段とを具備したことを特徴とする。
【００１１】
また、上記目的を達成するため、本発明の画像処理装置の制御方法は、画像出力装置の特性を入力する出力特性入力工程と、画像表示装置の特性を入力する表示特性入力工程と、画像出力結果を推定する出力推定工程と、色域の内外判定を行う色域内外判定工程と、出力画像を表示する画像表示工程とを具備したことを特徴とする。
【発明の効果】
【００１２】
本発明によれば、画像出力結果を正確に予測することができる。
【発明を実施するための最良の形態】
【００１３】
以下、本発明の実施の形態について、図面を参照しながら説明する。
【００１４】
（第１の実施の形態）
図１は、本発明の第１の実施の形態に係る画像処理装置の構成を示すブロック図である。
【００１５】
図１において、１０１は本実施の形態に係る画像処理装置、１０２はプリンタ特性データ記憶部で、ルックアップテーブル（以下、ＬＵＴと記述する。）データや、ＩＣＣプロファイル等、印刷（画像出力）に用いるプリンタ（画像出力装置）のプリンタ特性データを記憶しておくためのものである。１０３はプリンタ特性データ入力部で、プリンタ特性データ記憶部１０２に記憶されているプリンタ特性データを画像処理装置１０１に入力するためのものである。１０４はモニタ特性データ記憶部で、ＬＵＴデータや、ＩＣＣプロファイル等、画像出力結果表示に用いるモニタ（画像表示装置）のモニタ特性データを記憶しておくためのものである。１０５はモニタ特性データ入力部で、モニタ特性データ記憶部１０４に記憶されているモニタ特性データを画像処理装置１０１に入力するためのものである。
【００１６】
１０６は画像データ記憶部で、印刷する画像データを記憶しておくためのものである。１０７は画像入力部で、画像データ記憶部１０６に記憶されている画像データを画像処理装置１０１に読み込むためのものである。１０８は出力結果推定部で、画像入力部１０７にて読み込まれた画像データを、プリンタ特性データ入力部１０３から入力されたプリンタ特性を用いて出力結果を推定するものである。１０９は色域内外判定部で、出力結果推定部１０８にて推定された出力推定結果と、モニタ特性データ入力部１０５から入力されたモニタ特性データとを比較し、出力推定結果色がモニタの色域の中に入っているか否かを判定するものである。１１０は出力画像記憶部で、出力結果推定部１０８にて推定された出力推定結果と、色域内外判定部１０９にて判定された色域内外判定結果とを記憶しておくためのものである。
【００１７】
１１１は出力画像変換部で、出力画像記憶部１１０に記憶されている出力画像を後述する画像表示装置１１３固有の色空間に変換するためのものである。１１２は画像表示部で、出力画像変換部１１１にて変換された出力画像を後述する画像表示装置１１３に出力するためのものである。１１３はＣＲＴディスプレイ等の画像表示装置（モニタ）で、出力予測結果等を表示するためのものである。
【００１８】
次に、本実施の形態に係る画像処理装置１０１の全体処理動作について、図２に基づき説明する。
【００１９】
図２は、本実施の形態に係る画像処理装置１にて行われる画像処理動作の流れを示すフローチャートである。
【００２０】
まず、ステップＳ２０１で、画像入力部１０７にて、画像データ記憶部１０６に記憶されている画像データを、画像処理装置１０１に読み込む（画像データ入力）。次に、ステップＳ２０２で、プリンタ特性入力部１０３にて、プリンタ特性データ記憶部１０２に記憶されているプリンタ特性データを、画像処理装置１０１に読み込む（プリンタ特性データ入力）。次に、ステップＳ２０３で、モニタ特性データ入力部１０５にて、モニタ特性データ記憶部１０４に記憶されているモニタ特性データを、画像処理装置１０１に読み込む（モニタ特性データ入力）。次に、ステップＳ２０４で、出力結果推定部１０８にて、プリンタ特性データ入力部１０３から入力されたプリンタ特性データを用いて、画像入力部１０７から入力された画像データの出力色予測を行い（詳細は後述する。）、その予測結果を出力画像記憶部１１０に記憶する。
【００２１】
次に、ステップＳ２０５で、色域内外判定部１０９において、前記ステップＳ２０４において予測された出力色と、モニタ特性データ入力部１０５から入力されたモニタ特性データとを比較し、モニタの色域に入っているか否かを判定し（詳細は後述する。）、その判定結果を出力画像記憶部１１０に記憶する。
【００２２】
次に、ステップＳ２０６で、前記ステップＳ２０１において入力された画像データに対し、前記ステップＳ２０４からステップＳ２０５までの処理を全ての画素に対して行ったか否かを判定し、全ての画素についての処理が終了していればステップＳ２０８へ、終了していなければステップＳ２０７へ、それぞれ進む。
【００２３】
ステップＳ２０７では、注目画素を未処理画素に移動した後、前記ステップＳ２０４へ戻る。また、ステップＳ２０８では、出力画像記憶部１１０に記憶されている出力画像を、出力画像変換部１１１にて、モニタ特性データ入力部１０５から入力されたモニタ特性データを用いて、画像表示装置１１３の固有の色空間データに変換し、画像表示部１１２にて画像表示装置１１３に処理結果を表示した後、本処理動作を終了する。
【００２４】
次に、前記図２のステップＳ２０４において実行する出力色予測処理について説明する。
【００２５】
一般に、ＰＣ（パーソナルコンピュータ）等に記憶されているデジタル画像データは、ＲＧＢデータで保存されている場合が多いが、入力されるＲＧＢ値と、出力されるＬａｂ値との関係は、使用するプリンタの特性によって異なってしまう。即ち、同じ画像を入力データとして用いた場合でも、使用するプリンタの機種、インク、紙の違いにより、異なる色として出力されてしまう。
【００２６】
そこで、入力されるＲＧＢ値と、出力されるＬａｂ値との関係をＬＵＴ（ルックアップテーブル）としてメモリに保存しておき、入力されたＲＧＢ値に対応するＬａｂ値を読み出すことにより、出力される色を予測することができる。
【００２７】
但し、ここで用いる出力予測方法は、上記ＬＵＴを用いた方法に限られるものではなく、例えば、ノイゲバウアの式を用いた出力予測方法や、ユール-ニールセンの式を用いた出力予測方法を用いても良い。即ち、入力されたＲＧＢデータに対し、出力されるＬａｂ値が予測できるような方法であれば、如何なる方法であっても良い。
【００２８】
次に、前記図２のステップＳ２０５において実行される色域内外判定処理について説明する。
【００２９】
画像表示装置１１３であるモニタの特性データがＬＵＴデータで与えられた場合、以下の方法により、出力予測色がモニタの色域の中に入っているか否かを判定することができる。
【００３０】
まず、図３に示すように、出力色予測結果のＬａｂ値を点Ｏ（L1, a1, b1）とし、モニタ色域の内部に存在する点Ｈ（例えば、モニタ色域の中心点）のＬａｂ値を（L0, a0, b0）とし、上記２点を通る直線Ｊを求める。次に、上記直線Ｊと、色域表面との交点Ｐを求める。ＨとＯの距離をd1、ＨとＰの距離をd0とした場合、d1≦d0ならば点Ｏはモニタの色域Ｋの内部、d1>d0ならば点Ｏはモニタの色域Ｋの外部となり、出力予測色がモニタの色域Ｋの中に入っているか否かを判定することができる。
【００３１】
次に、図２のステップＳ２０８において実行される処理結果表示処理について説明する。
【００３２】
上述の方法により、印刷結果をモニタに表示することが不可能である場合には、図４に示すようなユーザインタフェース上に、出力予測画像４０１とは別に色域外警告画像４０２を表示することにより、ユーザは、モニタに表示不可能な高彩度の色で印刷されることを認識し、より正確に印刷結果を予測することができる。
【００３３】
なお、図４において、４０３は入力画像である。
【００３４】
以上説明したように本実施の形態によれば、ユーザは、印刷の色予測結果において、モニタに表示不可能な高彩度の色で印刷される領域を認識することができ、より正確に印刷結果を予測することができる。
【００３５】
（第２の実施の形態）
次に、本発明の第２の実施の形態を、図５乃至図８に基づき説明する。
【００３６】
図５は、本発明の第２の実施の形態に係る画像処理装置の構成を示すブロック図である。
【００３７】
図５において、５０１は本実施の形態に係る画像処理装置、５０２は参照プリンタ特性データ記憶部で、ＬＵＴデータや、ＩＣＣプロファイル等、基準となるプリンタの特性データを記憶しておくためのものである。５０３は対象プリンタ特性データ記憶部で、比較対象となる対象プリンタの特性データを記憶しておくためのものである。５０４はプリンタ特性データ入力部で、参照プリンタ特性データ記憶部５０２に記憶されている参照プリンタ特性データ及び対象プリンタ特性データ記憶部５０３に記憶されている対象プリンタ特性データを画像処理装置５０１に入力するためのものである。
【００３８】
５０５はモニタ特性データ記憶部で、ＬＵＴデータや、ＩＣＣプロファイル等、結果表示に用いるモニタのモニタ特性データを記憶しておくためのものである。５０６はモニタ特性データ入力部で、モニタ特性データ記憶部５０５に記憶されているモニタ特性データを画像処理装置５０１に入力するためのものである。５０７は画像データ記憶部で、印刷する画像データを記憶しておくためのものである。５０８は画像入力部で、画像データ記憶部５０７に記憶されている画像データを画像処理装置５０１に読み込むためのものである。５０９は出力結果推定部で、画像入力部５０８にて読み込まれた画像データを、対象プリンタ特性データ入力部５０４から入力された対象プリンタ特性を用いて出力結果を推定するものである。５１０は色域内外判定部で、出力結果推定部５０９にて推定された対象プリンタの出力予測色と、参照プリンタ特性データとを比較し、出力推定結果色が参照プリンタの色域の中に入っているか否かを判定するものである。５１１は出力画像記憶部で、出力結果推定部５０９にて推定された出力推定結果と、色域内外判定部５１０にて判定された色域内外判定結果とを記憶しておくためのものである。５１２は出力画像変換部で、出力画像記憶部５１１に記憶されている出力画像を後述する画像表示装置５１４固有の色空間に変換するためのものである。５１３は画像表示部で、出力画像変換部５１２にて変換された出力画像を後述する画像表示装置５１４に出力するためのものである。５１４はＣＲＴディスプレイ等の画像表示装置（モニタ）で、出力予測結果等を表示するためのものである。
【００３９】
次に、本実施の形態に係る画像処理装置５０１の全体処理動作について、図６に基づき説明する。
【００４０】
図６は、本実施の形態に係る画像処理装置５０１にて行われる画像処理動作の流れを示すフローチャートである。
【００４１】
まず、ステップＳ６０１で、画像入力部５０８にて、画像データ記憶部５０７に記憶されている画像データを画像処理装置５０１に読み込む（画像データ入力）。次に、ステップＳ６０２で、プリンタ特性入力部５０４にて、参照プリンタ特性データ記憶部５０２に記憶されている参照プリンタ特性データ及び対象プリンタ特性データ記憶部５０３に記憶されている対象プリンタ特性データを画像処理装置５０１に読み込む（プリンタ特性データ入力）。次に、ステップＳ６０３で、モニタ特性データ入力部５０６にて、モニタ特性データ記憶部５０５に記憶されているモニタ特性データを画像処理装置５０１に読み込む（モニタ特性データ入力）。次に、ステップＳ６０４で、出力結果推定部５０９にて、プリンタ特性データ入力部５０４から入力された対象プリンタ特性データを用いて、上記第１の実施の形態と同様に、画像入力部５０８から入力された画像データの出力色予測を行い、その予測結果を出力画像記憶部５１１に記憶する。
【００４２】
次に、ステップＳ６０５で、色域内外判定部５１０において、前記ステップＳ６０４において予測された出力推定色と、プリンタ特性データ入力部５０４から入力された参照プリンタ特性データとを比較し、上記第１の実施の形態と同様に、対象プリンタの出力予測色が参照プリンタの色域に入っているか否かを判定し、その判定結果を出力画像記憶部５１１に記憶する。次に、ステップＳ６０６で、前記ステップＳ６０５において判定された色域判定結果に対し、対象プリンタの出力予測色が参照プリンタの色域に入っていなければステップＳ６０７へ、また、対象プリンタの出力予測色が参照プリンタの色域に入っていればステップＳ６０８へ、それぞれ進む。
【００４３】
ステップＳ６０７では、前記ステップＳ６０４において予測された出力推定色と、プリンタ特性データ入力部５０４から入力された参照プリンタ特性データとの色差を算出する（詳細は後述する。）。また、ステップＳ６０８では、前記ステップＳ６０１において入力された画像に対し、前記ステップＳ６０４からステップＳ６０７までの処理を全ての画素に対して行ったか否かを判定し、全ての画素について処理が終了していなければステップＳ６０９へ、また、全ての画素について処理が終了していればステップＳ６１０へ、それぞれ進む。
【００４４】
ステップＳ６０９では、注目画素を未処理画素に移動した後、前記ステップＳ６０４へ戻る。また、ステップＳ６１０では、出力画像記憶部５１１に記憶されている出力画像を、出力画像変換部５１２にて、モニタ特性データ入力部５１６から入力されたモニタ特性データを用いて、画像表示装置５１４の固有の色空間データに変換し、画像表示部５１３にて画像表示装置５１４に表示する。
【００４５】
次に、前記図６のステップＳ６０７において実行する色差算出処理について説明する。
【００４６】
参照プリンタの特性データがＬＵＴデータで与えられた場合、以下の方法により、出力予測色と参照プリンタの色域との色差を算出することができる。
【００４７】
まず、図７に示すように、出力色予測結果のＬａｂ値を点Ｏ（L1, a1, b1）とし、参照プリンタの内部に存在する点Ｈ（例えば、参照プリンタの色域の中心点）のＬａｂ値を（L0, a0, b0）とし、上記２点を通る直線Ｊ求める。次に、上記直線Ｊと色域表面との交点Ｐを求める。ここで、ＨとＰの距離dが、出力予測色と、参照プリンタの色域との色差となる。
【００４８】
次に、図６のステップＳ６１０において実行される処理結果表示処理について、図８を用いて説明する。
【００４９】
図８において、８０１は入力画像、８０２は参照プリンタ出力予測画像、８０３は対象プリンタ出力予測画像、８０４は色差画像、８０５はグレイスケールである。
【００５０】
図８に示すようなユーザインタフェースにより、対象プリンタの出力予測色が参照プリンタの色域外である場合には、該出力予測色と、該色域との色差の大きさに応じて、濃淡のグレイスケール８０５にて表示することにより、モニタの色域外領域での、プリンタの再現色の効果を確認することができる。
【００５１】
以上説明したように本実施の形態によれば、比較対照のプリンタの出力予測色及び参照プリンタの色域が共にモニタの色域外である場合にも、出力予測色の効果を確認することが可能である。
【００５２】
（その他の実施の形態）
なお、本発明は、本実施の形態に限られるものではなく、本発明の主題に基づき、どのようなものであっても適用可能である。
【００５３】
また、上記第１及び第２の実施の形態において、入力はＲＧＢ値、出力はＬａｂ値としているが、これに限られるものではなく、例えば、入力にＣＭＹＫ値を用い、出力にＸＹＺ三刺激値を用いても良い。即ち、入力にはデバイスに依存した色空間を用い、出力にはデバイスに依存しない色空間を用いていれば、その種類は限定されるものではない。
【００５４】
また、上記第１及び第２の実施の形態において、画像出力装置はプリンタであり、結果表示装置はモニタであるとしているが、例えば、画像出力装置が液晶プロジェクタや、ＣＲＴディスプレイでも良い。即ち、色再現範囲が既知である画像出力装置であれば、その種類は問わない。
【００５５】
また、上記第１の実施の形態においては、出力予測色において、モニタの色域外の色のみを表示するようにし、また、第２の実施の形態においては、２種類のプリンタにおいて、一方の出力予測色が他方のプリンタの色域外である場合に、その色差を表示するようにしているが、上記組み合わせに限られるものではない。例えば、第１の実施の形態のように、モニタとプリンタの色域比較において、プリンタの出力予測色とモニタの色域との色差を濃淡のグレイスケールにて表示することも可能である。
【００５６】
また、モニタ、プリンタの色域の測定誤差等を表示してしまわないように、表示対象色の中で、色差がある色域以上の画素のみを表示するようにしても良い。
【００５７】
また、本発明は、複数の機器(例えば、ホストコンピュータ、インタフェース機器、リーダ、プリンタ等)から構成されるシステムに適用しても、１つの機器からなる装置(例えば、複写機、ファクシミリ装置等)に適用しても良い。
【００５８】
また、本発明の目的は、上述した実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５９】
この場合、記憶媒体から読み出されたプログラムコード自体が上述した実施の形態の機能を実現することになり、そのプログラムコードを記憶した記憶媒体は本発明を構成することになる。
【００６０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしても良い。
【００６１】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００６２】
また、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【００６３】
また、コンピュータが読み出したプログラムコードを実行することにより、上述した実施の形態の機能が実現されるだけでなく、そのプログラムコードの指示に基づき、コンピュータ上で稼働しているＯＳ等が実際の処理の一部または全部を行い、その処理によって上述した実施の形態の機能が実現される場合も、本発明に含まれることは言うまでもない。
【００６４】
この場合、上記プログラムは、該プログラムを記憶した記憶媒体から直接、またはインターネット、商用ネットワーク、若しくはローカルエリアネットワーク等に接続された不図示の他のコンピュータやデータベース等からダウンロードすることにより供給される。
【００６５】
上記プログラムの形態は、オブジェクトコード、インタプリタにより実行されるプログラムコード、ＯＳ（オペレーティングシステム）に供給されるスクリプトデータ等の形態から成っても良い。
【図面の簡単な説明】
【００６６】
【図１】本発明の第１の実施の形態に係る画像処理装置の構成を示すブロック図である。
【図２】本発明の第１の実施の形態に係る画像処理装置における処理動作の流れを示すフローチャートである。
【図３】本発明の第１の実施の形態に係る画像処理装置における色域内外判定の方法を説明するための図である。
【図４】本発明の第１の実施の形態に係る画像処理装置における結果出力用ユーザインタフェースの一例を示す図である。
【図５】本発明の第２の実施の形態に係る画像処理装置の構成を示すブロック図である。
【図６】本発明の第２の実施の形態に係る画像処理装置における処理動作の流れを示すフローチャートである。
【図７】本発明の第２の実施の形態に係る画像処理装置における出力予測色と参照プリンタの色域との色差算出方法を説明するための図である。
【図８】本発明の第２の実施の形態に係る画像処理装置における結果出力用ユーザインタフェースの一例を示す図である。
【図９】一般的なモニタの色域とプリンタの色域との比較の一例を示す図である。
【図１０】一般的なモニタの色域と異なる２種類のプリンタの色域との比較の一例を示す図である。
【符号の説明】
【００６７】
１０１    画像処理装置
１０２    プリンタ特性データ記憶部
１０３    プリンタ特性データ入力部
１０４    モニタ特性データ記憶部
１０５    モニタ特性データ入力部
１０６    画像データ記憶部
１０７    画像入力部
１０８    出力結果推定部
１０９    色域内外判定部
１１０    出力画像記憶部
１１１    出力画像変換部
１１２    画像表示部
１１３    画像表示装置
５０１    画像処理装置
５０２    参照プリンタ特性データ記憶部
５０３    対象プリンタ特性データ記憶部
５０４    プリンタ特性データ入力部
５０５    モニタ特性データ入力部
５０６    モニタ特性データ記憶部
５０７    画像データ記憶部
５０８    画像入力部
５０９    出力結果推定部
５１０    色域内外判定部
５１１    出力画像記憶部
５１２    出力画像変換部
５１３    画像表示部
５１４    画像表示装置
【図１】
2006246237.tif 000003
【図２】
2006246237.tif 000004
【図３】
2006246237.tif 000005
【図４】
2006246237.tif 000006
【図５】
2006246237.tif 000007
【図６】
2006246237.tif 000008
【図７】
2006246237.tif 000009
【図８】
2006246237.tif 000010
【図９】
2006246237.tif 000011
【図１０】
2006246237.tif 000012